【手続補正書】
【提出日】平成21年2月17日(2009.2.17)
【手続補正１】
【補正対象書類名】特許請求の範囲
【補正対象項目名】全文
【補正方法】変更
【補正の内容】
【特許請求の範囲】
【請求項１】
被写界からの入射光を光電変換により信号電荷に変換する複数の受光素子が２次元状に配され、該複数の受光素子それぞれに隣接して、前記信号電荷を垂直方向に転送する垂直転送手段と、該垂直転送手段に対して直交する水平方向に転送する水平転送手段とを含む固体撮像素子と、
該固体撮像素子の動作を制御する制御信号を生成する制御手段と、
該制御信号に応じてタイミング信号を生成するタイミング生成手段と、
該タイミング信号に応じた駆動信号を生成する駆動生成手段と、
前記固体撮像素子から供給される画像に信号処理する信号処理手段とを含む固体撮像装置において、
前記制御手段は、撮影条件または撮影状況に応じて前記固体撮像素子における前記信号電荷の読出しおよび該信号電荷の転送の他に前記垂直転送手段を空転送させる制御信号を生成し、
前記信号処理手段は、前記固体撮像素子から前記空転送により得られる暗電流の信号を基に垂直シェーディングの形状として求めるシェーディング算出機能ブロックを含み、
該シェーディング算出機能ブロックは、実際の画像から求めた垂直シェーディングの形状を用いて補正することを特徴とする固体撮像装置。
【請求項２】
請求項１に記載の装置において、前記制御手段は、前記垂直転送手段の前記空転送を前記画像転送の前または後で転送させる制御信号を生成することを特徴とする固体撮像装置。
【請求項３】
請求項１に記載の装置において、前記制御手段は、前記垂直転送手段の前記空転送において同時にスミア掃き出しを兼ねる制御信号を生成することを特徴とする固体撮像装置。
【請求項４】
請求項１または２に記載の装置において、前記制御手段は、前記撮影条件としてあらかじめ設定した感度が感度閾値以上で前記画像を補正し、前記設定した感度が前記感度閾値より小さい条件で撮影した画像に対する補正を回避する制御信号を生成することを特徴とする固体撮像装置。
【請求項５】
請求項１、２または３に記載の装置において、該装置は、該装置内の温度を測定する温度センサ手段を含むことを特徴とする固体撮像装置。
【請求項６】
請求項５に記載の装置において、前記制御手段は、前記撮影状況として測定した温度が温度閾値以上で前記画像を補正し、前記測定した温度が前記温度閾値より小さい状況で撮影した画像に対する補正を回避する制御信号を生成することを特徴とする固体撮像装置。
【請求項７】
請求項１、２、３または４に記載の装置において、前記制御手段は、前記撮影状況として前記垂直シェーディングの形状を傾きとして求め、得られた傾きが傾斜閾値以上で前記画像を補正し、前記得られた傾きが前記傾斜閾値より小さい状況で撮影した画像に対する補正を回避する制御信号を生成することを特徴とする固体撮像装置。
【請求項８】
請求項１に記載の装置において、前記制御手段は、前記撮影条件としてあらかじめ設定した感度が感度閾値以上で前記空転送させる前記タイミング信号を生成させる制御信号を前記タイミング生成手段に出力し、
前記設定した感度が前記感度閾値より小さい条件で画像転送だけさせる前記タイミング信号を生成させる制御信号を前記タイミング生成手段に出力し、
前記制御手段は、前記空転送した状況に応じて前記画像を補正し、前記画像転送だけの転送で撮影した画像に対する補正を回避する制御信号を生成することを特徴とする固体撮像装置。
【請求項９】
請求項１に記載の装置において、該装置は、該装置内の温度を測定する温度センサ手段を含み、
前記制御手段は、前記撮影状況として測定した温度が温度閾値以上で前記空転送させる前記タイミング信号を生成させる制御信号を前記タイミング生成手段に出力し、
前記測定した温度が前記温度閾値より小さい状況で画像転送だけさせる前記タイミング信号を生成させる制御信号を前記タイミング生成手段に出力し、
前記制御手段は、前記空転送した状況に応じて前記画像を補正し、前記画像転送だけの転送で撮影した画像に対する補正を回避する制御信号を生成することを特徴とする固体撮像装置。
【請求項１０】
請求項１ないし９のいずれか一項に記載の装置において、前記制御手段は、前記空転送する動作に対して前記タイミング生成手段の第１の駆動周波数を、画像転送の第２の駆動周波数より高くする制御信号を生成し、
前記シェーディング算出機能ブロックは、前記垂直シェーディングの形状を第１の駆動周波数と第２の駆動周波数との比で補正し、前記画像を補正することを特徴とする固体撮像装置。
【請求項１１】
請求項１ないし９のいずれか一項に記載の装置において、前記制御手段は、前記空転送する動作に対して前記タイミング生成手段が出力する垂直転送の第１の回数を、画像転送で出力される垂直転送の第２の回数より少なくする制御信号を生成し、
前記シェーディング算出機能ブロックは、前記垂直シェーディングの形状を第２の回数と第１の回数との比で補正し、前記画像を補正することを特徴とする固体撮像装置。
【手続補正２】
【補正対象書類名】明細書
【補正対象項目名】００１６
【補正方法】変更
【補正の内容】
【００１６】
次に固体撮像素子38における動作について簡単に説明する。図2(A)の固体撮像素子38は、インタレース読出しでフィールド毎に有効画素領域に配される半分の受光素子から蓄積した信号電荷を垂直転送路40に読み出し、垂直転送する。
【手続補正３】
【補正対象書類名】明細書
【補正対象項目名】００２１
【補正方法】変更
【補正の内容】
【００２１】
信号処理部20は、補正した画像データを基に補間処理により同時化し、同時化した画像データを用いY/C信号を生成する機能を有する。また、信号処理部20は、生成したY/C信号をたとえば液晶モニタ用の信号に変換する機能も有する。さらに、信号処理部20は、記録モードに応じて生成したY/C信号に対する圧縮や圧縮された信号を元に伸長し復元再生する機能を有する。記録モードには、JPEG（Joint Photographic Experts Group）、MPEG（Moving Picture Experts Group）およびRAWモード等がある。信号処理部20は、記録モードに処理された画像データを信号線62、バス60および信号線66からストレージIF回路30に供給する。また、信号処理部20は、液晶モニタ用の信号68をモニタ34に出力する。
【手続補正４】
【補正対象書類名】明細書
【補正対象項目名】００２２
【補正方法】変更
【補正の内容】
【００２２】
操作部22は、電源スイッチ、ズームボタン、メニュー表示切替スイッチ、選択キー、動画モード設定部、連写速度設定部およびレリーズシャッタボタンを含む。とくに、レリーズシャッタボタンは、半押し/全押し操作に応じてディジタルカメラ10の動作タイミングや動作モードを選択する機能を有する。レリーズシャッタボタンは、半押し操作に応じてAE（Automatic Exposure）およびAF（Automatic Focusing）の動作をさせる。この動作は動画表示で得られる画像を用いて適正とする絞り、シャッタ速度および合焦距離を求める。また、レリーズシャッタボタンは、全押し操作により記録開始/記録終了のタイミングをシステム制御部24に送り、ディジタルカメラ10の設定モードに応じた動作タイミングを提供する。設定モードには、静止画記録および動画記録等がある。操作部22は、操作指示信号70をシステム制御部24に供給する。
【手続補正５】
【補正対象書類名】明細書
【補正対象項目名】００２５
【補正方法】変更
【補正の内容】
【００２５】
タイミング信号発生器26は、撮像部14用の垂直および水平同期信号、フィールドシフトゲート信号、垂直および水平タイミング信号、ならびにOFD（Over-Flow Drain）信号等、各種のタイミング信号を生成する機能を有する。また、この機能は、制御信号82により駆動モードにおける感度、温度、走査に応じた各種のタイミング信号84を生成する。タイミング信号発生器26は、各種のタイミング信号84をドライバ28に出力する。タイミング信号発生器26は、供給される制御信号82により転送の種類、フィールドでの垂直転送または空転送に応じて生成するタイミング信号84の駆動周波数を異ならせる場合もある。また、タイミング信号発生器26は、サンプリング信号86を前処理部16に供給する。
【手続補正６】
【補正対象書類名】明細書
【補正対象項目名】００４０
【補正方法】変更
【補正の内容】
【００４０】
次に図６に示した動作手順の改良について説明する。ここで、本実施例は共通する動作手順には同じ参照符号を付し、説明の煩雑さを避けるため説明を省略する。まず、図10に示すように、ディジタルカメラ10が全押しされたか否か判断する（ステップS10）。レリーズシャッタボタンがS2状態にある場合（YES）、ディジタルカメラ10に設定されているISO感度と感度閾値との比較判断処理に進む（ステップS22へ）。レリーズシャッタボタンがS2状態にない場合（NO）、全押しされたか否かの判断処理に戻る（ステップS10へ）。
【手続補正７】
【補正対象書類名】図面
【補正対象項目名】図１０
【補正方法】変更
【補正の内容】
【図１０】
2007300368.tif 000001